(57)【要約】      （修正有）【課題】巻き上げロープやその他のロープが当たっても、衝撃音が発生せず、また、ブームに傷がつくようなことを防止できるクレーンブームを提供する。【解決手段】下部ブーム、中間ブームおよび上部ブームの各単位ブームによって構成してこれらは順に連結されており、各単位ブームは、略四角柱形の各角部に配置される支柱部４１と、隣り合う支柱部４１同士を連結するとともにその支柱部４１間でジグザグに配置される多数の斜材４３とを備え、その内部に支柱部４１および斜材４３で囲まれた空間を有するクレーンブームにおいて、ブームの下面、もしくは上面に位置する斜材４３に緩衝材１５を被覆した。【選択図】図１
0003172893.tif 000002
【実用新案登録請求の範囲】
【請求項１】
下部ブーム、中間ブームおよび上部ブームの各単位ブームによって構成してこれらは順に連結されており、各単位ブームは、略四角柱形の各角部に配置される支柱と、隣り合う支柱同士を連結するとともにその支柱間でジグザグに配置される多数の斜材とを備え、その内部に前記支柱および前記斜材で囲まれた空間を有するクレーンブームにおいて、ブームの下面、もしくは上面に位置する前記斜材に緩衝材を被覆したことを特徴とするクレーンブーム。
【請求項２】
緩衝材はゴムホースである請求項１記載のクレーンブーム。
【請求項３】
ゴムホースを斜材の長さに合わせて切断し、長さ方向にスリットを入れ、このスリットを開いて斜材に被せ、外側からバンドもしくは針金を巻き回して拘束する請求項２記載のクレーンブーム。
【考案の詳細な説明】
【技術分野】
【０００１】
本発明は、クレーンのブームに関するものである。
【背景技術】
【０００２】
クローラクレーン等のラチスブームを備えたクレーンの一例を図４に示すと、旋回装置２が下部走行体１に支持され、上部旋回体３は旋回装置２を介して下部走行体１に支持されている。
【０００３】
下部ブーム４ａと上部ブーム４ｂおよび継ぎブーム４ｃで構成されるブーム４は、下部ブーム４ａの一端が上部旋回体３の前部に俯仰可能に支持されている。
【０００４】
ガントリ５は、前記上部旋回体３の前部と後部に結合された左右一対の前脚５ａおよび後脚５ｂと、これら前脚５ａおよび後脚５ｂに支持されたアクスル５ｃと、このアクスル５ｃに回転可能に支持されたシーブ５ｄで構成されている。図中６は、複数のシーブを回転可能に支持しているハンガである。
【０００５】
７はブライドルで、複数のシーブを回転可能に支持している。８はブーム俯仰用ワイヤーロープで、一端がハンガ６に固定され、ハンガ６のシーブとブライドル７のシーブの間に複数回掛け渡され、シーブ５ｄに掛け渡された後、他端がブーム俯仰用ウインチ装置（図示せず）のドラムに固定されている。９はペンダントロープで、ブーム４の頂部とブライドル７の間に取り付けられている。
【０００６】
ガイドシーブ１０は、ブーム４の頂部の背面側に回転可能に支持され、ポイントシーブ１１は、ブーム４の頂部の前面に回転可能に支持されている。
【０００７】
巻き上げワイヤーロープ１２は、その一端が巻き上げ装置（図示せず）のドラムに固定され、他端はガイドシーブ１０、ポイントシーブ１１に掛け渡され、さらにフック１３のシーブとポイントシーブ１１と間に複数回掛け渡された後、ブーム４の頂部に固定されている。
【０００８】
ブーム４は、軽量化を図りつつ十分な強度を確保するために、複数本の骨材を組み合わせたラチスブームであり、下記特許文献１に開示されるように、各単位ブーム、下部ブーム４ａと上部ブーム４ｂと継ぎブーム４ｃは、略四角柱形の各角部に配置される支柱と、隣り合う支柱同士を連結するとともにその支柱間でジグザグに配置される多数の斜材とを備えている。
【特許文献１】実開昭６２−１８６８８８号公報
【考案の概要】
【考案が解決しようとする課題】
【０００９】
前記巻き上げワイヤーロープ１２は、フック１３が下降した状態では長く繰り出されるが、これが風等に煽られてブーム４の構成材である斜材にあたると、騒音を発するものであった。
【００１０】
特に、ブーム４が大きく起立した状態では、ワイヤーロープ１２は、ブーム４に大きく沿うことになり、先端のフック１３を固定しても前記状態が惹起される。
【００１１】
本考案の目的は前記従来例の不都合を解消し、簡単な構成を付加することにより、巻き上げロープやその他のロープが当たっても、衝撃音が発生せず、また、ブームに傷がつくようなことを防止できるクレーンブームを提供することにある。
【課題を解決するための手段】
【００１２】
前記目的を達成するため請求項１記載の本考案は、下部ブーム、中間ブームおよび上部ブームの各単位ブームによって構成してこれらは順に連結されており、各単位ブームは、略四角柱形の各角部に配置される支柱と、隣り合う支柱同士を連結するとともにその支柱間でジグザグに配置される多数の斜材とを備え、その内部に前記支柱および前記斜材で囲まれた空間を有するクレーンブームにおいて、ブームの下面、もしくは上面に位置する前記斜材に緩衝材を被覆したことを要旨とするものである。
【００１３】
請求項１記載の本考案によれば、ブームの下面、もしくは上面の前記斜材に緩衝材を被覆したことにより、この緩衝材が巻き上げロープやその他のロープが当たっても、衝撃音が発生せず、また、ブームに傷がつくようなことを防止する。
【００１４】
請求項２記載の本考案は、緩衝材はゴムホースであることを要旨とするものである。
【００１５】
請求項２記載の本考案によれば、緩衝材としてゴムホースを利用することで、特別に生産することなく、市販品を利用でき、また、使用済み品の再利用も可能で、エコロジーなものである。
【００１６】
請求項３記載の本考案は、ゴムホースを斜材の長さに合わせて切断し、長さ方向にスリットを入れ、このスリットを開いて斜材に被せ、外側からバンドもしくは針金を巻き回して拘束することを要旨とするものである。
【００１７】
請求項３記載の本考案によれば、緩衝材としてゴムホースを斜材に被せて固定するのに、簡単に行うことができる。
【考案の効果】
【００１８】
以上述べたように本考案のクレーンブームは、簡単な構成を付加することにより、巻き上げロープやその他のロープが当たっても、衝撃音が発生せず、また、ブームに傷がつくようなことを防止できるものである。
【考案を実施するための最良の形態】
【００１９】
以下本考案の実施の形態を詳細に説明する。図１は本考案のクレーンブームの１実施形態を示す正面図で、クレーンのブーム４は、クローラクレーン等のラチスブームであり、図４で説明した通り、複数の単位ブームを備えており、この複数の単位ブームがその長手方向に沿って相互に連結されることによってブーム４が形成されている。
【００２０】
そして、複数の単位ブームは、具体的には、下部ブーム４ａと上部ブーム４ｂおよび継ぎブーム４ｃであり、図１は継ぎブーム４ｃを示すが、各単位ブームとも４本の支柱部４１と、支柱部４１に直交する連結材４２と、支柱部４１の長手方向に沿ってジグザグに並ぶように配置されている連結材である斜材４３とを有している。
【００２１】
継ぎブーム４ｃでは、４本の支柱部４１は、それぞれブーム４の長手方向に延びており、互いに平行に配置されるとともに、四角柱形の各角部に相当する位置に配置される。
【００２２】
各支柱部４１の長手方向の一方端部には結合部４４ａが設けられているとともに、他方端部にも結合部４４ｂが設けられている。
【００２３】
なお、図示は省略するが、下部ブーム４ａは、本体取付部と、４本の支柱部と、複数の連結材とを有しているが、４本の支柱部は、先端側へ行くに従って隣り合う支柱間の間隔が徐々に拡大するように配置されている。
【００２４】
このように各単位ブームは、その内部に前記支柱および上記斜材で囲まれた空間を有するように構成されているクレーンブームにおいて、ブーム４の下面、もしくは上面の前記斜材４３に緩衝材１５を被覆した。
【００２５】
この緩衝材１５は比較的耐久性があり。かつ。弾力性のある部材であれば特には問わないが、本考案では、図２に示すように、ゴムホース１６を利用した。
【００２６】
ゴムホース１６を斜材４３の長さに合わせて切断し、長さ方向にスリット１７を入れて、開けるようにする。
【００２７】
このスリットを開いて斜材４３に被せ、外側からバンドもしくは針金（番線）１８を巻き回して拘束した。バンドの場合は結束バンドを利用できる。
【００２８】
前記緩衝材１５は支柱部４１に直交する連結材４２にも被覆するようにしてもよい。
【００２９】
前記緩衝材１５の配設は、下部ブーム４ａと上部ブーム４ｂおよび継ぎブーム４ｃで構成するクレーンブーム全体の下面、もしくは上面に位置する前記斜材に対して行うものであり、下部ブーム４ａと上部ブーム４ｂについても同様なものとする。
【００３０】
なお、図示はしていないが、ブームの背面にブームの主材を構成するパイプと巻き上げ用のワイヤーロープとの接触を防止するためのガイドローラを配置している場合もあり、このガイドローラは、ブラケットを介して支柱部４１に回転可能に支持されているが、ガイドローラにも緩衝材１５を被覆することもできる。
【図面の簡単な説明】
【００３１】
【図１】本考案のクレーンブームの１実施形態を示す正面図である。
【図２】本考案のクレーンブームで使用する緩衝材の斜視図である。
【図３】クレーンブームの本考案を施す前の正面図である。
【図４】ラチスブームを備えたクレーンの一例を示す側面図である。
【符号の説明】
【００３２】
１…下部走行体                ２…旋回装置
３…上部旋回体                ４…ブーム
４ａ…下部ブーム              ４ｂ…上部ブーム
４ｃ…継ぎブーム              ５…ガントリ
５ａ…前脚                    ５ｂ…後脚
５ｃ…アクスル                ５ｄ…シーブ
６…ハンガ                    ７…ブライドル
８…ワイヤーロープ            ９…ペンダントロープ
１０…ガイドシーブ            １１…ポイントシーブ
１２…巻き上げワイヤーロープ  １３…フック
１５…緩衝材                  １６…ゴムホース
１７…スリット                １８…針金（番線）
４１…支柱部                  ４２…連結材
４３…斜材                    ４４ａ、４４ｂ…結合部
【図１】
0003172893.tif 000003
【図２】
0003172893.tif 000004
【図３】
0003172893.tif 000005
【図４】
0003172893.tif 000006